(57)【要約】      （修正有）【課題】陸上競技用ハードルにおいて、頂部バー高さを一般用から小学生用まで幅広く調節可能とし、しかも競技者の頂部バー接触時のケガや苦痛及び恐怖感を解消或いは軽減できるハードルを提供する。【解決手段】頂部バーを所定高さに設定するため、支柱の高さを調節可能とした陸上競技用ハードルにおいて、ハードル基部と、該ハードル基部上に旋回自在に下端部を軸着した傾斜支柱と、該ハードル基部と該傾斜支柱との角度を調節するための位置決め金具と、該傾斜支柱上端部に旋回自在に軸着した頂部バー支持金具と、該頂部バー支持金具に磁石、面ファスナー或いはその他の頂部バー装着手段で着脱可能に装着した頂部バーで構成し、該頂部バーを一般競技用から小学生用まで所定高さに調節可能、且つ、競技者の前記頂部バー接触時に前記頂部バーが前記頂部バー支持金具から脱着するように成した。【選択図】図１
0003143044.tif 000002
【実用新案登録請求の範囲】
【請求項１】
頂部バーを所定高さに設定するため、支柱の高さを調節可能とした陸上競技用ハードルにおいて、ハードル基部（１）と、該ハードル基部（１）上に旋回自在に下端部を軸着した傾斜支柱（２）と、該ハードル基部（１）と該傾斜支柱（２）との角度を調節するための位置決め金具（３）と、該傾斜支柱（２）上端部に旋回自在に軸着した頂部バー支持金具（４）と、該頂部バー支持金具（４）に磁石、マジックテープ或いはその他の頂部バー装着手段（８）で着脱可能に装着した頂部バー（５）で構成し、該頂部バー（５）を一般競技用から小学生用まで所定高さに調節可能、且つ、競技者の前記頂部バー（５）接触時に前記頂部バー（５）が前記頂部バー支持金具（４）から脱着することを特徴とする陸上競技用ハードル。
【請求項２】
頂部バー（５）をゴム・プラスチックス等の弾性材料（５ｂ）で構成し、又は、頂部バー（５）の芯金（５ａ）をゴム・プラスチックス等の弾性材料（５ｂ）で被覆し、競技者の該頂部バー（５）接触時のケガや苦痛及び恐怖感を解消或いは軽減することを特徴とする請求項１に記載の陸上競技用ハードル。
【考案の詳細な説明】
【技術分野】
【０００１】本考案は、陸上競技に使用されるハードルに係わり、特に一つの機種で一般競技用から小学生用までハードル競技全種目に使用可能且つ頂部バー接触時にケガや苦痛及び恐怖感の少ない安全なハードルに関するものである。
【背景技術】
【０００２】
【特許文献１】特許公開２００７−２０２５８３号公報
【特許文献２】特許公開２００５−０９５５３６号公報
【特許文献３】特許公開平０９−０８４９６７号公報
【特許文献４】特許公開平０８−２９９６１５号公報
【特許文献５】実用新案公開平０７−０１８８００号公報
【特許文献６】実用新案公開平０７−０１８７９９号公報
【特許文献７】実用新案公開平０７−０１８７９８号公報
【特許文献８】実用新案公開平０７−０１８７９７号公報
【特許文献９】実用新案公開平０６−０７５６００号公報
【特許文献１０】実用新案公開平０５−０１３５００号公報
【特許文献１１】登録実用新案第３１２４５６７号広報
【特許文献１２】登録実用新案第３０１４４９０号広報
【０００３】（特許文献１）特許公開２００７−２０２５８３号公報では、競技中に競技者がバーに接触した場合に、ハードルが円軌道を描いて転倒すること、該円軌道の支点が連続・断続又は点状であること、バー受けが斜設・屈設であることが提案されているが、頂部バー高さの調節方法や競技者の頂部バー接触時の苦痛や恐怖感解消について何ら言及されていないところが難点である。【０００４】（特許文献２）特許公開２００５−０９５５３６号公報では、容易転倒・容易復元を達成するため円軌道を描いて転倒する際に支点となる部分の形状改善について提案されているは点状であること、バー受けが斜設・屈設であることが提案されているが、頂部バー高さの調節方法や競技者の頂部バー接触時の苦痛や恐怖感解消について何ら言及されていないところが難点である。【０００５】（特許文献３）特許公開平０９−０８４９６７号公報では、支柱をスライド式にすることによる頂部バーの高さ調節方法が提案されているが、この種の機構は雨天などの気象条件で錆びつき動きが鈍くなり長持ちせず、また競技者の頂部バー接触時の苦痛や恐怖感解消について何ら言及されていないところが難点である。【０００６】（特許文献４）特許公開平０８−２９９６１５号公報でも、支柱をスライド式にすることによる頂部バーの高さ調節方法が提案されているが、中空の柱内でラックとピニオンを噛み合わせる機構は雨天などの気象条件で錆びつき動きが鈍くなり長持ちせず、また競技者の頂部バー接触時の苦痛や恐怖感解消について何ら言及されていないところが難点である。【０００７】（特許文献５）実用新案公開平０７−０１８８００号公報でも、（特許文献３）同様に支柱をスライド式にすることによる頂部バーの高さ調節方法が提案されているが、この種の機構は雨天などの気象条件で錆び付き動きが鈍くなり長持ちせず、また競技者の頂部バー接触時の苦痛や恐怖感解消について何ら言及されていないところが難点である。【０００８】（特許文献６）実用新案公開平０７−０１８７９９号公報では、分解携行可能なハードルが提案されているが、この種の機構は競技中の衝撃で壊れやすく、また競技者の頂部バー接触時の苦痛や恐怖感解消について何ら言及されていないところが難点である。【０００９】（特許文献７）実用新案公開平０７−０１８７９８号公報でも、（特許文献６）同様の提案がなされているが、同様にこの種の機構は競技中の衝撃で壊れやすく、また競技者の頂部バー接触時の苦痛や恐怖感解消について何ら言及されていないところが難点である。【００１０】（特許文献８）実用新案公開平０７−０１８７９７号公報では、分解及び折り畳みにして携行に適するハードルが提案されているが、（特許文献６）同様にこの種の機構は競技中の衝撃で壊れやすく、また競技者の頂部バー接触時の苦痛や恐怖感解消について何ら言及されていないところが難点である。【００１１】（特許文献９）実用新案公開平０６−０７５６００号公報でも、（特許文献３）同様に支柱をスライド式にすることによる頂部バーの高さ調節方法が提案されているが、この種の機構は雨天などの気象条件で錆び付き動きが鈍くなり長持ちせず、また競技者の頂部バー接触時の苦痛や恐怖感解消について何ら言及されていないところが難点である。【００１２】（特許文献１０）実用新案公開平０５−０１３５００号公報では、頂部バーをゴムバンド帯で形成し跳躍失敗時の衝撃回避方法が提案されている、ゴムバンド帯では頂部バーの質感がなく競技者としては不満が残る。また、頂部バーの高さ調節方法として単にゴムバンド帯を掛け替えただけではゴムバンド帯の上部に支柱が突出してしまい危険であるし、特許文献３のような方法をとれば雨天などの気象条件で錆び付き動きが鈍くなり長持ちしないところに難点がある。【００１３】（特許文献１１）登録実用新案第３１２４５６７号広報では、頂部バーの高さ調節方法として２本の支柱にスライド機構を設け、ギヤとチェーン或いはタイミングベルトで同期させるハードルが提案されているが（特許文献３）同様にこの種の機構は雨天などの気象条件で錆び付き動きが鈍くなり長持ちせず、また競技者の頂部バー接触時の苦痛や恐怖感解消について何ら言及されていないところが難点である。【００１４】（特許文献１２）登録実用新案第３０１４４９０号広報では、回転自在な輪を両土台脚の先端部に取付けて、短時間で競技場に設置或いは撤収できるハードルが提案されているが、頂部バー高さの調節方法や競技者の頂部バー接触時の苦痛や恐怖感解消について何ら言及されていないところが難点である。
【考案の開示】
【考案が解決しようとする課題】
【００１５】これまでの陸上競技用ハードルでは、頂部バーを一般用から小学生用まで高さ調節可能なものはなかった。また、頂部バーは堅い材質で形成されているため競技者は常に頂部バー接触時のケガや苦痛及び恐怖感と対峙しなければならなかった。
本考案が解決しようとする課題は、頂部バー高さを一般用から小学生用まで幅広く調節可能とし、しかも競技者の頂部バー接触時のケガや苦痛及び恐怖感を解消或いは軽減できるハードルを提案することにある。
【課題を解決するための手段】
【００１６】本考案の課題解決手段について説明する。
請求項１の考案においては、頂部バーを所定高さに設定するため、支柱の高さを調節可能とした陸上競技用ハードルにおいて、ハードル基部（１）と、該ハードル基部（１）上に旋回自在に下端部を軸着した傾斜支柱（２）と、該ハードル基部（１）と該傾斜支柱（２）との角度を調節するための位置決め金具（３）と、該傾斜支柱（２）上端部に旋回自在に軸着した頂部バー支持金具（４）と、該頂部バー支持金具（４）に磁石、マジックテープ或いはその他の頂部バー装着手段（８）で着脱可能に装着した頂部バー（５）で構成し、該頂部バー（５）を一般競技用から小学生用まで所定高さに調節可能、且つ、競技者の前記頂部バー（５）接触時に前記頂部バー（５）が前記頂部バー支持金具（４）から脱着する陸上競技用ハードルであることを特徴とする。【００１７】請求項２の考案においては、頂部バー（５）をゴム・プラスチックス等の弾性材料（５ｂ）で構成、又は、頂部バー（５）の芯金（５ａ）をゴム・プラスチックス等の弾性材料（５ｂ）で被覆し、競技者の該頂部バー（５）接触時のケガや苦痛及び恐怖感を解消或いは軽減する請求項１に記載の陸上競技用ハードルであることを特徴とする。
【考案の効果】
【００１８】これまでの陸上競技用ハードルは１０６．７ｃｍ、９９．１ｃｍ、９１．４ｃｍ、８４ｃｍ及び７６．２ｃｍの５段式のものと、７６ｃｍ、７０ｃｍ、６５ｃｍ及び６０ｃｍの４段式のものが一般的であるが、これだと一般用から小学生用までカバーするには２種類のハードルを用意しなければならなかった。これは頂部バー高さを調節するための支柱の伸縮長さが機構上の問題から制約を受けるためであるが、本考案の陸上競技用ハードルは、ハードル基部と、該ハードル基部上に旋回自在に下端部を軸着した傾斜支柱と、該ハードル基部と該傾斜支柱との角度を調節するための位置決め金具とで構成しているため従来方式のハードルよりも頂部バー高さの調節範囲を広くすることが可能となる。【００１９】また、前記傾斜支柱上端部には旋回自在に軸着した頂部バー支持金具と、該頂部バー支持金具に磁石、マジックテープ或いはその他の頂部バー装着手段で着脱可能に装着した頂部バーとで構成しているため、競技者の前記頂部バー接触時に前記頂部バーが前記頂部バー支持金具から脱着するので、競技者は頂部バー接触によるケガや苦痛及び恐怖感から解放される。【００２０】さらに、前記頂部バーをゴム・プラスチックス等の弾性材料で構成、又は、前記頂部バーの芯金をゴム・プラスチックス等の弾性材料で被覆しているため、競技者の該頂部バー接触時のケガや苦痛及び恐怖感はより一層解消或いは軽減されることになる。
【考案を実施するための最良の形態】
【００２１】考案を実施するための最良の形態について説明する。
［図１］に本考案の陸上競技用ハードルの具体的態様を示す本体側面図を、
［図２］に本考案の陸上競技用ハードルの具体的態様を示す本体立面図を、
［図３］に本考案の陸上競技用ハードルの頂部バー高さ調節方法を説明する図を、
［図４］に本考案の頂部バーの具体的態様を示す正面図を、
［図５］に本考案の頂部バーの具体的態様を示す断面図をそれぞれ示す。
【実施例】
【００２２】本考案の実施例の具体的態様を［図１］［図２］に基づいて説明する。
本考案の実施例では、頂部バーを所定高さに設定するため、支柱の高さを調節可能とした陸上競技用ハードルにおいて、ハードル基部（１）と、該ハードル基部（１）上に旋回自在に下端部を軸着した傾斜支柱（２）と、該ハードル基部（１）と該傾斜支柱（２）との角度を調節するための位置決め金具（３）と、該傾斜支柱（２）上端部に旋回自在に軸着した頂部バー支持金具（４）と、該頂部バー支持金具（４）に磁石、マジックテープ或いはその他の頂部バー装着手段（８）で着脱可能に装着した頂部バー（５）で構成し、該頂部バー（５）を一般競技用から小学生用まで所定高さに調節可能、且つ、競技者の前記頂部バー（５）接触時に前記頂部バー（５）が前記頂部バー支持金具（４）から脱着するように成した。【００２３】次に、頂部バー（５）高さ調節方法について説明する。該頂部バー（５）高さは、規定により１０６．７ｃｍ、９９．１ｃｍ、９１．４ｃｍ、８４ｃｍ、７６．２ｃｍ、７０ｃｍ、６５ｃｍ及び６０ｃｍの８種類となっている。頂部バー（５）高さは、ハードル基部（１）の両側に設けられている高さ調節孔（１ａ〜１ｈ）と傾斜支柱（２）の高さ調節孔（２ｃ）に１組の位置決め金具（３）のピン部（３ａ）、（３ｂ）をそれぞれ挿入することによって調節することができる。【００２４】本考案の実施例の頂部バー高さ調節方法を［図３］に基づいて説明する。
ハードル基部（１）の幅を１２０ｃｍ、ハードル基部（１）の長さを１０３ｃｍ、傾斜支柱（２）下端部の軸中心と該傾斜支柱（２）上端部の軸中心との距離を１１７．５ｃｍ、頂部バー支持金具（４）の軸中心と頂部バー（５）上端部との距離を１１ｃｍとした。次いで、傾斜支柱（２）下端部の軸（６）中心と傾斜支柱（２）の高さ調節孔（２ｃ）中心との距離を４７ｃｍとし、ハードル基部（１）の両側に設けるべき高さ調節孔（１ａ〜１ｈ）位置は頂部バー高さ規定である１０６．７ｃｍ、９９．１ｃｍ、９１．４ｃｍ、８４ｃｍ、７６．２ｃｍ、７０ｃｍ、６５ｃｍ及び６０ｃｍから頂部バー支持金具（４）の軸中心と頂部バー（５）上端部との距離１１ｃｍをそれぞれ差し引き、傾斜支柱（２）下端部の軸中心からハードル基部（１）の両側に設けるべき高さ調節孔（１ａ〜１ｈ）の水平距離をそれぞれ計算によって求めた。【００２５】さらに、頂部バー支持金具（４）には、頂部バー（５）上端部がハードル基部（１）と常に平行になるよう頂部高さ規定である１０６．７ｃｍ、９９．１ｃｍ、９１．４ｃｍ、８４ｃｍ、７６．２ｃｍ、７０ｃｍ、６５ｃｍ及び６０ｃｍ毎に合い印（図示せず）を刻印した。【００２６】これによって、１台のハードルで一般用から小学生用まで頂部バー高さのすべてが自在に調節可能となるため、２種類以上のハードルを用意する必要はなくなった。しかも、ハードル基部（１）と傾斜支柱（２）から位置決め金具（３）のピン部（３ａ）、（３ｂ）を取り外せば、即座にハードルを平面状に折り畳むことができ、運搬・移動がきわめて容易となる。【００２７】本考案の他の実施例の具体的態様を［図４］［図５］に基づいて説明する。
他の実施例では、頂部バー（５）をゴム・プラスチックス等の弾性材料で構成、又は、頂部バー（５）の芯金（５ａ）をゴムプラスチックス等の弾性材料（５ｂ）で被覆した。
また、芯金（５ａ）をゴムプラスチックス等の弾性材料（５ｂ）で被覆した頂部バー（５）では、芯金（５ａ）にＪＩＳ  Ｇ  ４８０１  １９６７  バネ鋼ＳＵＰ３材料を使用し厚さ、幅、長さをそれぞれ０．３ｃｍ、６ｃｍ、１１８ｃｍとした。該芯金（５ａ）の全周には弾性材料（５ｂ）としてシリコンスポンジシート厚さ１ｃｍを被覆した。【００２８】さらに、頂部バー装着手段（８）として、該頂部バー（５）の頂部バー支持金具（４）と対向する位置の芯金（５ａ）に被覆した弾性材料（８）の一部を除去し芯金（５ａ）に円盤状プラスチックスマグネット（直径３ｃｍ、厚さ１ｃｍ）を緊結した。本発明では、芯金（５ａ）にバネ鋼を、弾性材料（５ｂ）にシリコンスポンジシートを、頂部バー装着手段（８）にプラスチックスマグネットを使用したが、無論、これに限定されるものではない。これらの機能を満足できる材料のすべてが含まれると考えるべきである。
【産業上の利用可能性】
【００２９】これまでの陸上競技用ハードルにおいては、頂部バー高さ調節上、一般用から小学生用まで少なくとも２種類以上のハードルを用意しなければならなかったが、本考案のハードルを使用すれば１種類ですべての頂部バー高さに対応可能となる。また、頂部バーが支持金具から容易に脱着するので、競技者は頂部バー接触によるケガや苦痛及び恐怖感から解放される。さらに、頂部バーそのものがゴム・プラスチックス等の弾性材料で構成、又は、頂部バーの芯金を弾性材料で被覆してあるため、競技者は頂部バー接触によるケガや苦痛及び恐怖感からより一層解放されることになるので、陸上競技大会は言うに及ばず日頃のトレーニングにも利用できる。
【図面の簡単な説明】
【００３０】
【図１】は、本考案の陸上競技用ハードルの具体的態様を示す本体側面図である。
【図２】は、本考案の陸上競技用ハードルの具体的態様を示す本体立面図である。
【図３】は、本考案の陸上競技用ハードルの頂部バー高さ調節方法を説明する図である。
【図４】は、本考案の頂部バーの具体的態様を示す正面図である。
【図５】は、本考案の頂部バーの具体的態様を示す断面図である。
【００３１】
【符号の説明】
１    ハードル基部
１ａ  高さ調節孔
１ｂ  高さ調節孔
１ｃ  高さ調節孔
１ｄ  高さ調節孔
１ｅ  高さ調節孔
１ｆ  高さ調節孔
１ｇ  高さ調節孔
１ｈ  高さ調節孔
２    傾斜支柱
２ａ  軸穴
２ｂ  軸穴
２ｃ  高さ調節孔
３    位置決め金具
３ａ  ピン部
３ｂ  ピン部
４    頂部バー支持金具
５    頂部バー
６    軸
７    軸
８    頂部バー装着手段
【図１】
0003143044.tif 000003
【図２】
0003143044.tif 000004
【図３】
0003143044.tif 000005
【図４】
0003143044.tif 000006
【図５】
0003143044.tif 000007
【手続補正書】
【提出日】平成20年4月7日(2008.4.7)
【手続補正１】
【補正対象書類名】実用新案登録請求の範囲
【補正対象項目名】請求項１
【補正方法】変更
【補正の内容】
【請求項１】
頂部バーを所定高さに設定するため、支柱の高さを調節可能とした陸上競技用ハードルにおいて、ハードル基部（１）と、該ハードル基部（１）上に旋回自在に下端部を軸着した傾斜支柱（２）と、該ハードル基部（１）と該傾斜支柱（２）との角度を調節するための位置決め金具（３）と、該傾斜支柱（２）上端部に旋回自在に軸着した頂部バー支持金具（４）と、該頂部バー支持金具（４）に磁石、面ファスナー又はマジックテープ（登録商標）或いはその他の頂部バー装着手段（８）で着脱可能に装着した頂部バー（５）で構成し、該頂部バー（５）を一般競技用から小学生用まで所定高さに調節可能、且つ、競技者の前記頂部バー（５）接触時に前記頂部バー（５）が前記頂部バー支持金具（４）から脱着することを特徴とする陸上競技用ハードル。
【手続補正２】
【補正対象書類名】明細書
【補正対象項目名】００１６
【補正方法】変更
【補正の内容】
【００１６】本考案の課題解決手段について説明する。
請求項１の考案においては、頂部バーを所定高さに設定するため、支柱の高さを調節可能とした陸上競技用ハードルにおいて、ハードル基部（１）と、該ハードル基部（１）上に旋回自在に下端部を軸着した傾斜支柱（２）と、該ハードル基部（１）と該傾斜支柱（２）との角度を調節するための位置決め金具（３）と、該傾斜支柱（２）上端部に旋回自在に軸着した頂部バー支持金具（４）と、該頂部バー支持金具（４）に磁石、面ファスナー又はマジックテープ（登録商標）或いはその他の頂部バー装着手段（８）で着脱可能に装着した頂部バー（５）で構成し、該頂部バー（５）を一般競技用から小学生用まで所定高さに調節可能、且つ、競技者の前記頂部バー（５）接触時に前記頂部バー（５）が前記頂部バー支持金具（４）から脱着する陸上競技用ハードルであることを特徴とする。
【手続補正３】
【補正対象書類名】明細書
【補正対象項目名】００１９
【補正方法】変更
【補正の内容】
【００１９】また、前記傾斜支柱上端部には旋回自在に軸着した頂部バー支持金具と、該頂部バー支持金具に磁石、面ファスナー又はマジックテープ（登録商標）或いはその他の頂部バー装着手段で着脱可能に装着した頂部バーとで構成しているため、競技者の前記頂部バー接触時に前記頂部バーが前記頂部バー支持金具から脱着するので、競技者は頂部バー接触によるケガや苦痛及び恐怖感から解放される。
【手続補正４】
【補正対象書類名】明細書
【補正対象項目名】００２２
【補正方法】変更
【補正の内容】
【００２２】本考案の実施例の具体的態様を［図１］［図２］に基づいて説明する。
本考案の実施例では、頂部バーを所定高さに設定するため、支柱の高さを調節可能とした陸上競技用ハードルにおいて、ハードル基部（１）と、該ハードル基部（１）上に旋回自在に下端部を軸着した傾斜支柱（２）と、該ハードル基部（１）と該傾斜支柱（２）との角度を調節するための位置決め金具（３）と、該傾斜支柱（２）上端部に旋回自在に軸着した頂部バー支持金具（４）と、該頂部バー支持金具（４）に磁石、面ファスナー又はマジックテープ（登録商標）或いはその他の頂部バー装着手段（８）で着脱可能に装着した頂部バー（５）で構成し、該頂部バー（５）を一般競技用から小学生用まで所定高さに調節可能、且つ、競技者の前記頂部バー（５）接触時に前記頂部バー（５）が前記頂部バー支持金具（４）から脱着するように成した。